(57)【要約】【課題】季節性又はトレンド性を強調した情報を得ることができる検索装置、検索システム及び検索方法を提供すること。【解決手段】検索システム２００は、キーワードの時系列データを分析して、季節変動量及びトレンド変動量を抽出する変動抽出部２０１と、該変動抽出部２０１により抽出された季節変動量及びトレンド変動量とキーワードとを関連させて蓄積する季節性キーワード情報記憶部２０２と、検索エンジン２０６を用いてユーザが設定する入力キーワードによる入力キーワード検索の結果を格納する検索結果記憶部２０３と、ユーザにより設定された季節変動量及びトレンド変動量に対する重み付けを用いて、検索結果記憶部２０３に格納された結果に含まれる季節性キーワードの季節変動量又はトレンド変動量に重み付けをする再評価を行い、その結果に基づきキーワード検索の結果を並べ替える再評価部２０４と、を備える。【選択図】図２
2010079625.tif 000002
【特許請求の範囲】
【請求項１】
キーワードの時系列データを分析して、季節変動量及びトレンド変動量を抽出する変動抽出部と、
前記変動抽出部により抽出された季節変動量及びトレンド変動量とキーワードとを関連させて蓄積する季節性キーワード情報記憶部と、
ユーザにより設定された少なくとも１の入力キーワードによる入力キーワード検索の結果を格納する検索結果記憶部と、
ユーザにより設定された季節変動量及びトレンド変動量の少なくともいずれか一方に対する重み付けを用いて、前記検索結果記憶部に格納された入力キーワード検索の結果に対して、再度前記季節性キーワード情報記憶部に蓄積された季節性キーワードの季節変動量又はトレンド変動量に重み付けがされた季節性キーワードの検索を行い、該重み付けされた季節性キーワード検索結果に基づき前記検索結果記憶部に格納された入力キーワード検索の結果を並べ替える再評価部と、
を備える検索装置。
【請求項２】
前記再評価部で行う、季節変動量又はトレンド変動量に重み付けがされた季節性キーワード検索は、前記季節性キーワード情報記憶部に蓄積され、入力キーワードを含む入力キーワードに関連する季節性キーワードが用いられる請求項１に記載の検索装置。
【請求項３】
前記検索結果記憶部に格納される検索結果は、検索スコアを含み、
前記再評価部は、前記検索スコアから、前記季節性キーワード情報記憶部に蓄積された季節性キーワードの季節変動量及びトレンド変動量並びに前記ユーザにより設定された季節変動量の重み付け及びトレンド変動量の重み付けを用いて再評価検索スコアを算出する請求項１又は２に記載の検索装置。
【請求項４】
前記ユーザにより設定された季節変動量及びトレンド変動量の重み付けは、負の重み付けを含む請求項１〜３のいずれか１項に記載の検索装置。
【請求項５】
前記検索スコアは、入力キーワードの検索により得られる値、検索順位に対応する逆数の値又は検索順位の上位と下位とを入れ替えた値である請求項３又は４に記載の検索装置。
【請求項６】
前記再評価部による検索結果を表示する表示部をさらに備えた請求項１〜５のいずれか１項に記載の検索装置。
【請求項７】
ユーザにより設定された少なくとも１の入力キーワードによる入力キーワード検索を行う検索エンジンと、
前記検索エンジンによる入力キーワード検索の結果を格納する検索結果記憶部と、
キーワードの時系列データを分析して、季節変動量及びトレンド変動量を抽出する変動抽出部と、
前記変動抽出部により抽出された季節変動量及びトレンド変動量とキーワードとを関連させて蓄積する季節性キーワード情報記憶部と、
ユーザにより設定された季節変動量及びトレンド変動量の少なくともいずれか一方に対する重み付けを用いて、前記検索結果記憶部に格納された入力キーワード検索の結果に対して、再度前記季節性キーワード情報記憶部に蓄積された季節性キーワードの季節変動量又はトレンド変動量に重み付けがされた季節性キーワードの検索を行い、該重み付けされた季節性キーワード検索結果に基づき前記検索結果記憶部に格納された入力キーワード検索の結果を並べ替える再評価部と、
を備える検索システム。
【請求項８】
キーワードの時系列データを分析して、季節変動量及びトレンド変動量を抽出するステップと、
前記抽出ステップにより抽出された季節性キーワード情報を蓄積するステップと、
入力キーワードによる情報検索を実行し、検索結果を取り込む検索ステップと、
ユーザにより設定された季節変動量及びトレンド変動量の少なくともいずれか一方に対する重み付けを取り込むステップと、
前記検索結果に前記ユーザにより設定された重み付け及び前記季節性キーワード情報を用いて再評価検索スコアを算出するステップと、
前記再評価検索スコアの値に基づいて該再評価検索スコアを並べ替えるステップと、
を備える検索方法。
【請求項９】
前記再評価ステップによる検索結果を表示する表示ステップをさらに備える請求項８に記載の検索方法。
【発明の詳細な説明】
【技術分野】
【０００１】
本発明は、検索装置、検索システム及び検索方法に関し、特に、検索キーワード又は検索対象文章に含まれるキーワードの季節性又はトレンドを重視した検索装置、検索システム及び検索方法に関する。
【背景技術】
【０００２】
従来より、キーワードによる検索において、検索画面にキーワードを入力することにより、情報中に検索キーワードが含まれる情報を抽出し、関連性が高い情報の順に検索結果を表示する検索エンジンが用いられている。さらに、検索結果から抽出される最新キーワード情報を用いて、該最新キーワード情報の出現数を考慮することにより、自動的に推薦文献情報を提示する検索装置が提案されている（例えば、特許文献１）。しかしながら、このようなシステムでは、最新キーワードに季節性のあるキーワードが含まれることになり、季節性の含まれる情報ばかりが検索されることになる。また、通常の検索キーワードによる検索装置においても、夏のイメージが強いキーワード、例えば花火、海水浴又はプールといったキーワードによる検索では、夏に関する情報が複数検索され、正月、スキー、鍋又はクリスマス等のキーワードによる検索では、冬に関する情報が複数検索されることになる。
【０００３】
一方、予め各キーワードに旬の時期又は出荷時期等の季節感を付与しておくことにより、キーワードの季節性を考慮した情報を提示するシステムが提案されている（例えば、特許文献２及び３）。
【０００４】
また、売上の時系列情報を利用した季節性商品の需要予測における売上高実績データに含まれる異常値を検出するシステムが提案されている（例えば、特許文献４）。
【０００５】
【特許文献１】特開平７−８５１０３号公報
【特許文献２】特開２００３−７６８９８号公報
【特許文献３】特開２００２−３０４３９８号公報
【特許文献４】特開平７−５６８９０号公報
【発明の開示】
【発明が解決しようとする課題】
【０００６】
しかし、従来の技術によると、季節性を含む情報に着目することはできても、さらに季節性を強調する情報を得るようなシステムはないという問題がある。また、季節性を含む情報ばかりが着目され、徐々に進行する静かなトレンド又はムーブメントの抽出等、季節性にとらわれない中期的及び長期的なトレンドを重視することがなされていないため、季節に左右されない重要な情報を見逃してしまうという問題がある。すなわち、特許文献１のように、検索時の検索需要が反映された情報は、検索時の季節性を優位に現すことになるが、徐々に進行する静かなトレンド又はムーブメントを含む情報が下位の情報となり、季節性を含む情報に埋もれてしまう危険性がある。また、特許文献２及び３においては、旬又は季節感を強調するのみで、季節性に埋もれてしまう情報については着目されていない。また、特許文献４は、売上高実績データに含まれる傾向変動と不規則変動と考慮した上での異常値を検出する手段であり、季節性に隠れた情報について検出することはできない。
【０００７】
このように、従来の検索エンジンでは、単なるキーワード検索のみが可能であり、キーワードに対してユーザが求める季節性要因又はトレンド性要因の重要度を加味した検索はなされていなかった。このため、ユーザの感性に合致した検索結果が得られない場合があり、ユーザがキーワード検索により要求する情報に迅速に到達できない場合があった。膨大な情報社会において、逸早くユーザが要求する情報を入手することができないことは、時間のロスであり、ユーザの満足を得ることができないという問題がある。
【０００８】
そこで、本発明は、このような問題に鑑みてなされたもので、その目的は、検索エンジン等によるキーワード検索の結果に基づいて、キーワード又は検索キーワードを含む情報検索結果に含まれる季節性キーワードの時間的変動を季節性要因とトレンド要因とに分離し、それぞれの要因の重要度をユーザが指定することによって、季節性を強調した情報又はトレンド性を強調した情報を得ることができる検索装置を提供することにある。
【課題を解決するための手段】
【０００９】
上記課題を解決するために、本発明のある観点によれば、キーワードの時系列データを分析して、季節変動量及びトレンド変動量を抽出する変動抽出部と、変動抽出部により抽出された季節変動量及びトレンド変動量とキーワードとを関連させて蓄積する季節性キーワード情報記憶部と、ユーザにより設定された少なくとも１つの入力キーワードによる入力キーワード検索の結果（以下、入力キーワード検索結果と呼ぶ）を格納する検索結果記憶部と、季節性キーワード情報記憶部に蓄積されているキーワード（以下季節性キーワードと呼ぶ）が、当該入力キーワード検索結果中に出現した集合（場合によっては要素の頻度も）を求め（以下、このキーワード集合を検索結果季節性キーワードと呼ぶ）、ユーザにより設定された季節変動量及びトレンド変動量の少なくともいずれか一方に対する重み付けを用いて、検索結果記憶部に格納された検索結果季節性キーワードに対して、季節性キーワード情報記憶部に蓄積された季節性キーワードの季節変動量又はトレンド変動量に応じた重み付け評価指数を算出し、その指数を用いて検索結果の順序を並べ替える再評価部と、を備える検索装置が提供される。
【００１０】
かかる構成においては、入力キーワード検索結果を、季節性キーワードの時系列頻度情報を分析して得られる季節変動量及びトレンド変動量をユーザにより設定された重みによって重み付けすることにより再検索することになる。ユーザにより設定された重みは、入力キーワード検索結果に含まれる検索結果季節性キーワードの季節変動量又はトレンド変動量のうち、ユーザが要求する変動量をもったキーワードをより優先的にユーザに提示するように機能する。このため、検索結果季節性キーワードに含まれる季節性又はトレンド性を強調した情報検索が可能になる。従って、ユーザがどのような情報を必要とするかに応じて、情報の再検索を容易に行うことができる。
【００１１】
再評価部で求められる検索結果季節性キーワードは、前述のように季節性キーワード情報記憶部に蓄積されている全ての季節性キーワードを許すようにしてもよいし、又は、入力キーワードを含む入力キーワードに関連する季節性キーワードに限定してもよい。
なお、入力キーワードとの関連性は類義語辞書（シソーラス）をつかう方法、「鍋」と「よせ鍋」のように 両者の文字が一致する割合が高いものを使う方法等の、一般的手法により判断することができる。
【００１２】
検索結果記憶部に格納される入力キーワード検索結果は、検索スコアを含み、再評価部は、検索スコアから、季節性キーワード情報記憶部に蓄積された季節性キーワードの季節変動量及びトレンド変動量並びにユーザにより設定された季節変動量及びトレンド変動量の重み付けを用いて再評価検索スコアを算出してもよい。
【００１３】
ユーザにより設定された季節変動量及びトレンド変動量の重み付けは、負の重み付けを含んでもよい。
【００１４】
検索スコアは、入力キーワードの検索により得られる値、検索順位に対応する逆数の値又は検索順位の上位と下位とを入れ替えた値であってもよい。
再評価部による検索結果を表示する表示部をさらに備えていてもよい。
【００１５】
上記課題を解決するために、本発明の別の観点によれば、ユーザにより設定された少なくとも１の入力キーワードによる入力キーワード検索を行う検索エンジンと、該検索エンジンによる入力キーワード検索の結果を格納する検索結果記憶部と、キーワードの時系列データを分析して、季節変動量及びトレンド変動量を抽出する変動抽出部と、変動抽出部により抽出された季節変動量及びトレンド変動量とキーワードとを関連させて蓄積する季節性キーワード情報記憶部と、ユーザにより設定された季節変動量及びトレンド変動量の少なくともいずれか一方に対する重み付けを用いて、検索結果記憶部に格納された入力キーワード検索の結果に対して、再度季節性キーワード情報記憶部に蓄積された季節性キーワードの季節変動量又はトレンド変動量に重み付けがされた季節性キーワードの検索を行い、該重み付けされた季節性キーワード検索結果に基づき検索結果記憶部に格納された入力キーワード検索の結果を並べ替える再評価部と、を備える検索システムが提供される。
【００１６】
上記課題を解決するために、本発明の別の観点によれば、季節性キーワードの時系列データを分析して、季節変動量及びトレンド変動量を抽出するステップと、抽出ステップにより抽出された季節性キーワード情報を蓄積するステップと、入力キーワードによる情報検索を実行し、検索結果（入力キーワード検索結果）を取り込む検索ステップと、ユーザにより設定された季節変動量及びトレンド変動量の少なくともいずれか一方に対する重み付けを取り込むステップと、検索結果（入力キーワード検索結果）にユーザにより設定された重み付け及び季節性キーワード情報を用いて再評価検索スコアを算出するステップと、再評価検索スコアの値に基づいて該再評価検索スコアを並べ替えるステップと、を備える検索方法が提供される。
【００１７】
再評価ステップによる検索結果を表示する表示ステップをさらに備えてもよい。
【発明の効果】
【００１８】
以上説明したように、本発明によれば、検索エンジン等による入力キーワード検索の検索結果からユーザの要求に応じて、季節性を強調した情報又はトレンド性を強調した情報を得ることができる。
【発明を実施するための最良の形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
また、以下に示す項目順序に従って当該「発明を実施するための最良の形態」を説明する。
（１）一実施形態に至る経緯
（２）季節性及びトレンド性
（３）一実施形態に係る検索装置の概要
（４）再評価検索スコアの算出方法
（５）ハードウエア構成
（６）一実施形態に係る表示処理の流れ
（７）一実施形態に係る再評価処理の流れ
【００２１】
一実施形態に至る経緯
従来より、ユーザが検索キーワードを入力することにより、例えば、インターネットサービスプロバイダが提供するデータベースに蓄積された情報中から検索キーワードが含まれる情報が抽出され、各情報へのアクセス数又はリンク数等から、情報の順位付けがなされて検索結果が表示される検索エンジンが普及している。
【００２２】
係る検索エンジンにおいて、検索結果は、各検索エンジンの条件設定によるものであり、ユーザの要求を反映して季節性又はトレンド性を強調した順位付けがなされているとは限らない。このため、ユーザが検索キーワードから検索したい情報とはかけ離れた情報が上位の検索結果に表示される場合、ユーザが必要とする情報を検索するまでに長時間を要したり、ユーザにとって有用な情報を検索することが困難であったりする。また、検索キーワードそのものから季節が想像されるようなキーワードにおいては、検索した時点の季節性を重視した検索結果が表示され、季節にとらわれない情報を得ることが困難となる場合がある。
【００２３】
そこで、本実施形態では、キーワードの時系列頻度情報を分析することにより、季節性キーワード検索の検索結果に基づいて、季節性を強調した情報又はトレンド性を強調した情報を得ることができる検索装置について説明する。
【００２４】
（２）季節性及びトレンド性
ここで、季節性及びトレンド性について説明する。図１は、時系列データを説明する図であり、ある地区の二酸化炭素（ＣＯ２）排出量を時間軸に対してプロットしたものである。
【００２５】
図１（ａ）に示すように、ＣＯ２排出量は、一年の中で排出量が少ない時期と多い時期とを繰り返す傾向にあり、季節変化に伴う要因を含み、周期性が明確に示されるデータの一例である。一方、時系列データは、傾向（トレンド）変動、季節変動（周期変動）及び不規則変動に分離することができる。トレンド変動は長期にわたる持続的な変化であり、季節変動（周期変動）は季節的あるいは周期変動的な変化である。また、不規則変動はその他の諸要因による変化である。
【００２６】
季節要因を含むデータは、時系列データの動きを不明瞭にしている。このため、時系列データの本来の動きをみるために、季節要因を除去する方法が用いられており、一般的に季節調整法とよばれている。季節調整法は、時系列データにおいて季節周期が既知の場合、前年度比又は前月比の季節周期分だけずらした変動量をトレンド変動の大きさとし、それ以外の変動量を季節変動及び不規則変動の大きさと仮定して、トレンド変動量、季節変動量及び不規則変動量を計算する方法である。季節調整法として広く用いられている方法には、米国商務省センサス局が開発したセンサス局法、経済企画庁が開発したＥＰＡ（Economic Planning Agency）法及び通産省が開発したＭＩＴＩ法等がある。また、マーケティング分野においては、時系列データの解析にＳＡＲＩＭＡ（Seasonal Auto Regressive Moving Average）モデル等の方法が用いられている。これらの手法を適宜用いることにより、キーワードの時系列データに含まれる季節変動量及びトレンド変動量を容易に抽出することができる。
【００２７】
図１は、これらの手法により抽出したトレンド変動量の時系列（トレンド変動成分）と季節変動量の時系列（季節変動成分）と不規則変動量の時系列（不規則変動成分）とを示している。この成分が計算できれば、この地区のＣＯ２のトレンド変動量、季節変動量、不規則変動量（残差）を具体的に設定することができる。
具体的な設定法の一例としては、直近の一定区間のトレンド変動成分の平均パワー、季節変動成分の平均パワー、不規則変動成分の平均パワーをそれぞれＴＰ、ＳＰ、ＥＰとすれば、トレンド変動量Ｍｔ及び季節変動量Ｍｓはそれぞれ以下の式１及び式２のように求められる。
【数１】
2010079625.tif 000003
【数２】
2010079625.tif 000004
【００２８】
なお、本実施形態においては、時系列データに含まれる変動要素のうち、季節的な変化である季節変動量と、長期にわたる持続的な変化である傾向変動量とに着目したが、ユーザの要求する情報に応じて観測誤差等の諸要因による変化である不規則変動量に着目してもよい。
【００２９】
（３）一実施形態に係る検索装置の概要
図２は、本発明の一実施形態に係る検索システム２００を含む機能構成を説明する図である。図２に示すように、検索システム２００は、変動抽出部２０１と、季節性キーワード情報記憶部２０２と、検索エンジン２０６と、検索結果記憶部２０３と、再評価部２０４と、表示部２０５とを有する。表示部２０５は、検索システム２００のディスプレイに表示しても、検索システム２００に接続されたユーザ端末に表示されてもよい。
【００３０】
変動抽出部２０１は、キーワードの時系列頻度情報を分析して、季節変動量Ｍｓ、トレンド（傾向）変動量Ｍｔ及びその他の変動量を抽出する。キーワード毎の季節変動量Ｍｓ及びトレンド変動量Ｍｔの抽出方法については、上記で説明したように、季節調整法等を用いて容易に抽出できる。
【００３１】
また、季節性キーワード情報記憶部２０２は、変動抽出部２０１により抽出された各キーワードの季節変動量Ｍｓ及びトレンド変動量Ｍｔとキーワードとを結び付けて蓄積する。季節性キーワード情報記憶部２０２に蓄積されたキーワードを季節性キーワードと呼ぶことにする。
【００３２】
図３は、季節性キーワード情報記憶部２０２に蓄積された、季節性キーワードとその季節変動量Ｍｓ及びトレンド変動量Ｍｔの具体例を示している。図３に示すように、夏のイメージが強い「花火」の季節変動量Ｍｓは１００でトレンド変動量Ｍｔは５０であり、季節変動量Ｍｓのほうがトレンド変動量Ｍｔより大きい。冬のイメージが強いキーワード「鍋」についても同様に、季節変動量Ｍｓが１００でトレンド変動量Ｍｔが５０であり、季節変動量Ｍｓのほうがトレンド変動量Ｍｔよりも大きい。また、季節変動量Ｍｓからみると、「鍋」の季節変動量Ｍｓよりも「よせ鍋」の季節変動量Ｍｓの値のほうが大きく、季節感のより強いキーワードのほうが大きい季節変動量Ｍであることがわかる。一方、「鍋蓋」のように、季節性の低いキーワードについては、季節変動量Ｍｓが５０でトレンド変動量Ｍｔが１００であり、トレンド変動量Ｍｔのほうが季節変動量Ｍｓの値を上回ることがわかる。また、「東京」等の季節性が含まれないキーワードでは季節変動量Ｍｓ及びトレンド変動量Ｍｔが同一の値である。
【００３３】
このように、季節性キーワード情報記憶部２０２には各季節性キーワードとその季節変動量Ｍｓ及びトレンド変動量Ｍｔが蓄積される。蓄積する際に、季節変動量Ｍｓ及びトレンド変動量Ｍｔの値を一般化（正規化）していてもよい。
【００３４】
また、検索結果記憶部２０３は、例えば、ネットワーク上で提供されている検索エンジン２０６を用いてユーザが入力した入力キーワード（を含む文でもよい）の検索結果について、情報の順位付けがなされた検索結果（入力キーワード検索結果）を収容する。該検索結果には、入力キーワードが含まれる各情報の検索スコアＳが含まれる。検索スコアＳは、既存の一般的な情報検索装置等により提供されることがほとんどであるが、検索結果の順位の逆数、又は、検索順位の上位と下位とを入れ替えた値としても良い。
【００３５】
図４は一般的な検索エンジン２０６によるキーワード「鍋」の検索結果を示している。ここでは、説明しやすくするために、４つの検索結果のみについて説明することとする。図４に示すように、検索時期が冬であったとすると、時節柄よせ鍋及びふぐ鍋等の冬をイメージする情報が上位に検索され、むし鍋及び鍋蓋等の季節性に左右されない情報が下位に検索される。具体的に、よせ鍋に関する記事の検索スコアＳ（１）が１００、ふぐ鍋に関する記事の検索スコアＳ（２）が９５、むし鍋に関する記事の検索スコアＳ（８）が７０、鍋蓋に関する記事の検索スコアＳ（９）が６０であったとする。このとき、ユーザが要求する情報が、鍋製品に関するものであった場合、季節性に左右されない情報は、季節に沿った鍋料理等の情報に埋もれてしまうことになり、ユーザが所望する情報を入力キーワード検索結果から入手することは困難である。
【００３６】
このように、一般的な検索エンジン２０６を用いたキーワード検索により、キーワードに対するユーザの要求する要因が加味されていない検索結果が検索結果記憶部２０３に記憶される場合が生じる。
【００３７】
また、再評価部２０４は、検索結果記憶部２０３で得られた検索結果である各情報の検索スコアＳ（ｉ）に対して、ユーザが季節性を強調した情報を得たいか又はトレンド性を強調した情報を得たいかにより、再評価検索スコアＲ（ｉ）を求める。該再評価検索スコアＲ（ｉ）は、ＧＵＩ（Graphical User Interface）等により設定された季節変動量の重み付けＷｓとトレンド変動量の重み付けＷｔとを考慮して算出される。再評価検索スコアＲ（ｉ）の具体的な算出方法については、（４）再評価検索スコアの算出方法で説明する。算出された再評価検索スコアＲ（ｉ）は、その値の大きさに基づいて並べ替えられる。すなわち、再評価部２０４は、検索結果記憶部２０３に収容された入力キーワード検索結果から、検索スコアＳ（ｉ）を再評価して再評価検索スコアＲ（ｉ）を算出し、該再評価検索スコアＲ（ｉ）の並べ替えを行う。再評価部２０４により、一般的な検索エンジン２０６による入力キーワード検索の結果を、ユーザが求める季節性要因又はトレンド性要因の重要度が加味されるように再検索されるため、キーワードに対するユーザの要求が満たされた検索結果を得ることができる。
【００３８】
また、表示部２０５は、再評価部２０４による検索結果をディスプレイに表示する。
【００３９】
検索スコアＳ（ｉ）から算出して、並べ替えられた再評価検索スコアＲ（ｉ）に基づく検索結果が、表示部２０５により表示され、ユーザの要求を満たす情報が上位に表示されることになるため、ユーザの要求に合致する情報を季節性キーワード検索による検索結果から迅速に到達することができる。
【００４０】
（４）再評価検索スコアの算出方法
再評価検索スコアＲ（ｉ）は、ユーザが要求する情報が検索されるように、入力キーワード検索による検索結果に含まれる各情報の検索スコアＳ（ｉ）に、季節変動量の重み付けＷｓ及びトレンド変動量の重み付けＷｔを加味させたものである。
【００４１】
一例として、以下の式３に示すように、再評価検索スコアＲ（ｉ）は、入力キーワード検索結果のｉ番目の情報の検索スコアＳ（ｉ）と、その中に含まれる検索結果季節性キーワード（ｊ）に対する季節変動量Ｍｓ（ｊ）及びトレンド変動量Ｍｔ（ｊ）のそれぞれに重み付けとして、季節変動量の重み付けＷｓ及びトレンド変動量の重み付けＷｔを乗じた和との総和として求められる。
【数３】
2010079625.tif 000005
【００４２】
また、再評価検索スコアＲ（ｉ）の式３による算出方法は、一例であり、検索スコアＳ（ｉ）の設定によっては、式４に示すように検索スコアＳ（ｉ）と季節変動量Ｍｓ（ｊ）及びトレンド変動量Ｍｔ（ｊ）等を乗ずることによって求めてもよい。
【数４】
2010079625.tif 000006
【００４３】
また、検索結果季節性キーワード（ｊ）は、入力キーワードに一致又は類似するものだけを対象にして、季節変動量の重み付けＷｓ及びトレンド変動量の重み付けＷｔが加味されるようにして再評価検索スコアＲ（ｉ）を算出してもよいし、あるいはそれに限らない一般の季節性キーワードに対しても、その季節変動量の重み付けＷｓ及びトレンド変動量の重み付けＷｔが加味されるようにしてもよい。すなわち、再評価部２０４で求められる検索結果季節性キーワードは、前述のように、季節性キーワード情報記憶部に蓄積されている全ての季節性キーワードを対象にしても良いし、又は、入力キーワードを含む入力キーワードに関連する季節性キーワードに限定しても良い。なお、検索結果季節性キーワードと入力キーワードとの関連性は、類義語辞書（シソーラス）を使う方法、「鍋」と「よせ鍋」とのように、両者の文字が一致する割合が高いもの等の一般的手法により判断することができる。
【００４４】
ここで、季節変動量の重み付けＷｓ及びトレンド変動量の重み付けＷｔについて図５を参照しながら説明する。図５はキーワードの季節変動量の重み付けＷｓ及びトレンド変動量の重み付けＷｔの値の具体例を示している。
【００４５】
ユーザが季節性を強調した情報が得たいか若しくはトレンド性を強調した情報を得たいか又は季節性を重視しない情報が得たいか若しくはトレンド性を重視しない情報が得たいかなどのユーザの要求により、季節変動量の重み付けＷｓ及びトレンド変動量の重み付けＷｔをＧＵＩ等により所定の値に設定する。すなわち、季節変動量の重み付けＷｓ及びトレンド変動量の重み付けＷｔは、ユーザが強調したい変動量の重み付けを強調したくない変動量の重み付けよりも大きい値となるように設定すれば、再評価検索スコアＲ（ｉ）にユーザの要求が反映されることになる。さらに、強調したくないキーワードの変動量については、重み付けがマイナス値となるように設定すれば、変動量をマイナスに加味できるため、ユーザの要求を効果的に反映することができる。
【００４６】
図５は鍋に関するキーワードに対する、ユーザの要求を示した一例である。ユーザの要求は、鍋に関する情報において、季節性に関する情報を排除して、季節性に埋もれている情報を検索することにある。この場合、図５に示すように、季節変動量の重み付けＷｓを無くすと共に、トレンド変動量の重み付けＷｔを大きくするように決定すれば良い。且つ、季節感を感じる「よせ鍋」及び「ふぐ鍋」については、季節変動量の重み付けＷｓをマイナスの値にすることで、季節性要因を含む情報の重み付けが小さくなるようにしている。
【００４７】
このように、季節変動量の重み付けＷｓ及びトレンド変動量の重み付けＷｔを決定することにより、ユーザが要求する情報を迅速に且つ容易に入手することができる。なお、季節変動量の重み付けＷｓ及びトレンド変動量の重み付けＷｔは、鍋に関する複数のキーワードそれぞれに設定したが、鍋（入力キーワード）のみに設定してもよく、また、季節変動量の重み付けＷｓ又はトレンド変動量の重み付けＷｔの一方のみに設定してもよい。
【００４８】
図６は再評価部２０４により、図４に示した検索結果の検索スコアＳ（ｉ）から図３に示した季節性キーワードとその季節変動量Ｍｓ及びトレンド変動量Ｍｔと図５に示したキーワードの季節変動量の重み付けＷｓ及びトレンド変動量の重み付けＷｔとを式３に代入することにより、評価指数である再評価検索スコアＲ（ｉ）を算出し、再評価検索スコアＲ（ｉ）の大きい順に並べ替えた結果を示している。すなわち、再評価部２０４は、図４の一般的な検索エンジン２０６による入力キーワード検索の結果（入力キーワード検索結果）を、季節性キーワードに対して季節変動量の重み付けＷｓ及びトレンド変動量の重み付けＷｔに表されたユーザが求める季節性要因又はトレンド性要因の重要度を加味した検索結果に再評価する。
【００４９】
例えば、むし鍋の場合、検索結果季節性キーワードのｊ＝１が「むし鍋」、ｊ＝２が「鍋」とすると、図５に示した「むし鍋」に関する季節変動量の重み付けＷｓ及びトレンド変動量の重み付けＷｔと図３に示した「むし鍋」に関する季節変動量Ｍｓとトレンド変動量Ｍｔとを乗じ、図５に示した「鍋」に関する季節変動量の重み付けＷｓ及びトレンド変動量の重み付けＷｔと図３に示した「鍋」に関する季節変動量Ｍｓとトレンド変動量Ｍｔとを乗じて再評価検索スコアＲ（ｉ）を算出する。鍋蓋についても、「鍋蓋」及び「鍋」を検索結果季節性キーワードとして、図５及び図３に示した「鍋蓋」及び「鍋」に関する季節変動量Ｍｓとトレンド変動量Ｍｔと季節変動量の重み付けＷｓ及びトレンド変動量の重み付けＷｔとを乗じて再評価検索スコアＲ（ｉ）を算出する。同様に、ふぐ鍋の検索結果季節性キーワードｊを「ふぐ鍋」及び「鍋」とし、よせ鍋の検索結果季節性キーワードｊを「よせ鍋」及び「鍋」として再評価検索スコアＲ（ｉ）を算出して再評価する。
【００５０】
図６に示すように、一般的な検索エンジン２０６による入力キーワード検索では下位に検索されて、見逃されてしまう可能性のあった「蒸し鍋」及び「鍋蓋」に関連する情報が、上位に検索されるようになる。また、一般的な検索エンジン２０６による検索結果では上位に多数検索される「よせ鍋」及び「ふぐ鍋」等の情報がユーザの要求する重み付けに従い、下位に検索されるようになるため、ユーザが必要とする季節性に左右されない情報を迅速に入手することができる。
【００５１】
このように本発明の一実施形態に係る検索装置を用いることにより、従来の一般的な検索エンジン２０６によるキーワード検索では埋もれてしまう情報を上位に示すことができるため、ユーザに有益な情報を容易に検索することができる。なお、再評価検索スコアＲ（ｉ）を値の大きい順に並べ替えることとしているが、ユーザの要求に応じて、小さい順に並べてもよい。
【００５２】
なお、式３及び式４を用いた再評価検索スコアＲ（ｉ）の算出方法においては、季節変動量の重み付けＷｓ及びトレンド変動量の重み付けＷｔをいずれも０とすれば、既存の検索エンジン等による検索スコアＳ（ｉ）と再評価検索スコアＲ（ｉ）とは同一の値となる。したがって、再評価検索スコアＲ（ｉ）の１つの結果として、ユーザの要求を反映する前の従来の検索エンジン等による検索結果を表示することも可能である。
【００５３】
なお、本実施形態においては、「鍋」を入力キーワードとして一般的な検索エンジン２０６による入力キーワード検索結果を元に、鍋及び鍋に関するキーワードを検索結果季節性キーワードとして再評価したが、一般の季節性キーワードを用いて検索エンジン２０６による入力キーワード検索を行った結果を再評価（検索結果季節性キーワードの決定と再評価検索スコアＲの算出）することも当然可能である。一般の季節性キーワードを用いる検索においては、入力キーワード検索結果に含まれる複数の季節性キーワードを検索結果季節性キーワードとして季節変動量の重み付けＷｓ及びトレンド変動量の重み付けＷｔを加味して再検索することにより得たい情報を得ることも可能である。
【００５４】
このように、キーワードによる検索に基づいて、キーワードに含まれる季節性を加味したりあるいは季節性を排除したりする検索が可能となるため、一般的な検索エンジン２０６による単なるキーワード検索では、下位に順位付けされて見逃されていた情報が上位に順位付けされるようになり、効率よくキーワード検索を実行することができる。
【００５５】
（５）ＰＣのハードウエア構成
ここで、ＰＣのハードウエア構成について、図７を参照しながら説明する。
【００５６】
ＰＣ７００は、ＲＯＭ７０５、ＲＡＭ７１０、ＣＰＵ７１５、バス７２０、内部インタフェース（内部Ｉ／Ｆ）７２５及び外部インタフェース（外部Ｉ／Ｆ）７３０を有している。ＲＯＭ７０５には、ＰＣ７００にて実行される基本的なプログラムや、異常時に起動するプログラム等が記録されている。ＲＡＭ７１０には、再評価処理、結果表示処理等の各種プログラム及びキーワード情報等のデータが蓄積されている。なお、ＲＯＭ７０５及びＲＡＭ７１０は、記憶装置の一例であり、ＥＥＰＲＯＭ、光ディスク、光磁気ディスク等の記憶装置であってもよい。
【００５７】
ＣＰＵ７１５は、再評価処理プログラム等の各種プログラムにしたがって検索結果の再評価処理及び結果表示処理を実行する。バス７２０は、ＲＯＭ７０５、ＲＡＭ７１０、ＣＰＵ７１５、内部インタフェース７２５及び外部インタフェース７３０の各デバイス間でデータをやりとりする経路である。
【００５８】
内部インタフェース７２５は、キーワード等のデータを入力し、必要なデータを図示しないディスプレイ及びスピーカ等に出力するようになっている。外部インタフェース７３０は、サーバ及び他のＰＣ等の接続されている機器との間でデータを送受信するようになっている。たとえば、再評価後の検索結果は、内部インタフェース７２５を介してＰＣ７００に設けられたディスプレイに表示してもよいし、外部インタフェース７３０を介してネットワーク上に接続された他のＰＣに設けられたディスプレイに表示してもよい。
【００５９】
（６）一実施形態に係る表示処理の流れ
図８は、本発明の一実施形態に係る表示処理において実行されるキーワード検索の流れを示したフローチャートである。
【００６０】
図８に示すように、検索処理をスタートさせると（Ｓ８００）、一般的な検索エンジン２０６によりユーザ入力による入力キーワード検索を行い、入力キーワード検索結果を検索結果記憶部２０３に収容する（Ｓ８０１）。続いて、Ｓ８０１による入力キーワード検索結果を表示するか否かを判断する（Ｓ８０２）。ユーザの要求に合うように入力キーワード検索による検索結果を再評価する場合には、一般的な入力キーワード検索による結果を確認することなく、季節性キーワード検索の検索結果の再評価処理を行う（Ｓ８０３）。Ｓ８０３による再評価は、再評価部２０４により行われ、後述する再評価処理として詳述するように、検索結果記憶部２０３に収容された入力キーワード検索結果に含まれる検索スコアＳから、季節性キーワード情報記憶部２０２に蓄積された季節性キーワード又は季節性キーワードのうち入力キーワードに関連するキーワードが有する季節性及びトレンド性に、ユーザの要求を加味するように重み付けして再評価検索スコアＲ（ｉ）を算出する。次に、再度再評価検索スコアＲ（ｉ）の値に基づいて並べ替えることが行われる。続いて、再評価した結果を表示部２０５により表示する（Ｓ８０４）。これにより、ユーザが要求する情報が得られるようであれば、更なる再評価をすることなく本処理を終了する（Ｓ８０８）。一方、再度、異なる視点から季節性キーワード検索の結果を再評価したい場合、季節性要因及びトレンド性要因に対する重要度である重み付けを変更してユーザが要求する情報が得られるまで、再評価を繰り返し行い、再評価の要求がなされなかった時点で本処理を終了する（Ｓ８０８）。
【００６１】
また、ユーザが一般的な検索エンジン２０６による入力キーワード検索による検索結果の表示を要求する場合（Ｓ８０２）、その結果を表示し（Ｓ８０６）、その結果により、ユーザに再評価の可否を判断させ（Ｓ８０７）、再評価を要求する場合にはＳ８０３〜Ｓ８０５の処理を繰り返し、要求しない場合には、本処理を終了する（Ｓ８０８）。
【００６２】
（７）一実施形態に係る再評価処理の流れ
図９は、本発明の一実施形態に係る再評価処理において実行される再評価の流れを示したフローチャートである。図９を参照しながら、再評価部２０４の流れを説明する。
【００６３】
図９に示すように、再評価部２０４では、検索結果季節性キーワードに対してユーザが求める季節性要因及びトレンド性要因の重要度である、季節変動量の重み付けＷｓ及びトレンド変動量の重み付けＷｔを取り込む（Ｓ９０１）。続いて、Ｓ９０１で取り込んだ季節変動量の重み付けＷｓ及びトレンド変動量の重み付けＷｔと季節性キーワード情報記憶部２０２に蓄積された各季節性キーワードの季節変動量Ｍｓ及びトレンド変動量Ｍｔとを用いて検索結果記憶部２０３に収容された検索結果に含まれる検索スコアＳから再評価検索スコアＲ（ｉ）を算出する（Ｓ９０２）。続いて、Ｓ９０２で算出された再評価検索スコアＲ（ｉ）の値の大きい順に検索記事を並べ替える（Ｓ９０３）。
【００６４】
以上説明したように、本実施形態に係る検索装置によれば、ユーザが必要とする情報を効率よく検索でき、ユーザにとって有用な情報を容易に検索することができる。
【００６５】
以上、添付図面を参照しながら本発明の好適な実施形態について説明したが、本発明は係る例に限定されない。当業者であれば、特許請求の範囲に記載された技術的思想の範疇内において、各種の変更例又は修正例に想到し得ることは明らかであり、それらについても当然に本発明の技術的範囲に属するものと了解される。
【図面の簡単な説明】
【００６６】
【図１】時系列データを説明する図である。
【図２】本発明の一実施形態に係る検索装置の機能構成を示す説明図である。
【図３】本発明の一実施形態に係る季節性キーワード情報記憶部に蓄積された具体例を示す図である。
【図４】一般的な検索エンジンによる入力キーワード検索の結果を示す図である。
【図５】本発明の一実施形態に係る季節変動量の重み付けＷｓ及びトレンド変動量の重み付けの一例を示す図である。
【図６】本発明の一実施形態に係る再評価の結果を示す図である。
【図７】ＰＣのハードウエア構成を示す図である。
【図８】本発明の一実施形態に係る検索装置において実行される検索装置の流れを示すフローチャートである。
【図９】本発明の一実施形態に係る再評価処理において実行される流れを示すフローチャートである。
【符号の説明】
【００６７】
２００    検索装置
２０１    変動抽出部
２０２    季節性キーワード情報記憶部
２０３    検索結果記憶部
２０４    再評価部
２０５    表示部
２０６    検索エンジン
７００    ＰＣ  
７０５    ＲＯＭ
７１０    ＲＡＭ
７１５    ＣＰＵ
７２０    バス
７２５    内部インタフェース
７３０    外部インタフェース
【図１】
2010079625.tif 000007
【図２】
2010079625.tif 000008
【図３】
2010079625.tif 000009
【図４】
2010079625.tif 000010
【図５】
2010079625.tif 000011
【図６】
2010079625.tif 000012
【図７】
2010079625.tif 000013
【図８】
2010079625.tif 000014
【図９】
2010079625.tif 000015